(57)【特許請求の範囲】
【請求項１】
水源からの水が下部から注入され、貯えられた高温水を流出させる出湯管が上部に接続された貯湯タンクと、
前記貯湯タンク内の水を高温に加熱する加熱手段と、
前記出湯管の接続位置より低い位置にて前記貯湯タンクに接続された中温水出湯管と、
前記出湯管に連通する第１高温水流入ポートと、前記中温水出湯管に連通する中温水流入ポートと、水源からの水を供給する給水管に連通する第１低温水流入ポートと、第１給湯端への流路に接続される第１混合水流出ポートとを有し、前記第１低温水流入ポートを閉じる状態と前記第１高温水流入ポートを閉じる状態とに切り替え可能であり、前記中温水出湯管により前記貯湯タンクから取り出された中温水と、前記出湯管から供給される高温水または前記給水管から供給される低温水とを混合して前記第１給湯端へ給湯可能な第１給湯混合弁と、
前記出湯管に連通する第２高温水流入ポートと、前記給水管に連通する第２低温水流入ポートと、第２給湯端への流路に接続される第２混合水流出ポートとを有し、前記第２高温水流入ポートから流入する湯水と前記第２低温水流入ポートから流入する湯水とを混合して前記第２給湯端へ給湯可能な第２給湯混合弁と、
を備え、
前記第１高温水流入ポートから前記第２高温水流入ポートへ湯水が流通可能であり、
前記第２給湯端への給湯時に、前記第１低温水流入ポートを閉じる状態とし、前記中温水出湯管から前記中温水流入ポートに流入した中温水を、前記第１高温水流入ポートから流出させて前記第２高温水流入ポートに流入させ、前記第２低温水流入ポートから流入する低温水と混合して前記第２給湯端へ給湯可能である貯湯式給湯機。
【請求項２】
前記第１低温水流入ポートから前記第２低温水流入ポートへ湯水が流通可能であり、
前記第２給湯端への給湯時に、前記第１高温水流入ポートを閉じる状態とし、前記中温水出湯管から前記中温水流入ポートに流入した中温水を、前記第１低温水流入ポートから流出させて前記第２低温水流入ポートに流入させ、前記第２高温水流入ポートから流入する高温水と混合して前記第２給湯端へ給湯可能である請求項１記載の貯湯式給湯機。
【請求項３】
前記中温水出湯管により前記貯湯タンクから取り出される中温水の温度を検出する中温水温度センサを備え、
前記第２給湯端への給湯時に、前記中温水温度センサにより検出される温度に基づいて、前記第１高温水流入ポートを閉じるか前記第１低温水流入ポートを閉じるかを選択する請求項２記載の貯湯式給湯機。
【請求項４】
前記第１給湯混合弁と前記第２給湯混合弁とが一体化されている請求項１乃至３の何れか１項記載の貯湯式給湯機。
【発明の詳細な説明】
【技術分野】
【０００１】
本発明は、貯湯式給湯機に関する。
【背景技術】
【０００２】
貯湯タンク内に湯（高温水）を貯え、必要時に湯を取り出して給湯する貯湯式給湯機が広く用いられている。給湯時には、貯湯タンク内の高温水が貯湯タンクの上部から取り出されるのに伴い、水源からの水が貯湯タンクの下部に流入する。このようにして、貯湯タンク内は、常に満水状態に維持され、上層側が高温水となり下層側が低温水となる温度成層が形成される。
【０００３】
このような貯湯式給湯機において、浴槽の湯水を追焚きする追焚熱交換器から戻った中温水が貯湯タンク内に溜まるなどの理由により、貯湯タンク内の高温水と低温水との間に中温水の層が形成される。貯湯タンク内の中温水が利用されないまま残ると、中温水の持つ熱が無駄になるとともに、貯湯タンクの沸き上げ運転時に中温水がヒートポンプ式熱源機に送られた際にヒートポンプの効率が低下するため、貯湯式給湯機のエネルギー消費効率が低下する。そこで、貯湯タンクの中間部分に中温水の取出し口を設け、貯湯タンク内から中温水を取り出して給湯に利用する技術が従来より提案されている。
【０００４】
特許文献１に開示された貯湯式給湯機では、高温水と中温水とをまず中温水混合弁で混合し、この混合水と低温水とを給湯混合弁で混合して給湯設定温度にして給湯する。また、高温水と中温水との混合水と低温水とを風呂混合弁で混合して風呂設定温度にして湯張りする。
【０００５】
特許文献２に開示された貯湯式給湯機では、高温水と中温水と低温水との三流体を任意の第１給湯設定温度に混合する第１給湯混合弁と、高温水と中温水と低温水との三流体を任意の第２給湯設定温度に混合する第２給湯混合弁とを備える構成としている。
【先行技術文献】
【特許文献】
【０００６】
【特許文献１】特開２００５−２７４１３２号公報
【特許文献２】特開２００９−１２７９９９号公報
【発明の概要】
【発明が解決しようとする課題】
【０００７】
しかしながら、特許文献１に開示された構成では、中温水混合弁、給湯混合弁、風呂混合弁の３種類の混合弁を搭載する必要があるとともに、これら３種類の混合弁を連結する配管も必要となるため、シール部品や配管締結部品等の部品点数も増加し、それに伴い製品原価が上昇するという問題がある。また、特許文献２に開示された構成では、第１給湯混合弁と第２給湯混合弁の２種類の混合弁を使用しているが、第１給湯混合弁では、高温水、中温水および低温水の各流入ポートと混合水の流出ポートとの４箇所の接続部が必要であり、同様に第２給湯混合弁においても、高温水、中温水および低温水の各流入ポートと混合水の流出ポートとの４箇所の接続部が必要であり、合計８箇所の配管接続部を必要とする。配管接続部が多いと、シール部品や配管締結部品の数も多くなるため、製品原価が上昇するという問題がある。
【０００８】
本発明は、上述のような課題を解決するためになされたもので、貯湯タンク内の中温水を給湯に最大限に利用してエネルギー消費効率を向上することができるとともに、製品原価を抑制することのできる貯湯式給湯機を提供することを目的とする。
【課題を解決するための手段】
【０００９】
本発明に係る貯湯式給湯機は、水源からの水が下部から注入され、貯えられた高温水を流出させる出湯管が上部に接続された貯湯タンクと、貯湯タンク内の水を高温に加熱する加熱手段と、出湯管の接続位置より低い位置にて貯湯タンクに接続された中温水出湯管と、出湯管に連通する第１高温水流入ポートと、中温水出湯管に連通する中温水流入ポートと、水源からの水を供給する給水管に連通する第１低温水流入ポートと、第１給湯端への流路に接続される第１混合水流出ポートとを有し、第１低温水流入ポートを閉じる状態と第１高温水流入ポートを閉じる状態とに切り替え可能であり、中温水出湯管により貯湯タンク内から取り出された中温水と、出湯管から供給される高温水または給水管から供給される低温水とを混合して第１給湯端へ給湯可能な第１給湯混合弁と、出湯管に連通する第２高温水流入ポートと、給水管に連通する第２低温水流入ポートと、第２給湯端への流路に接続される第２混合水流出ポートとを有し、第２高温水流入ポートから流入する湯水と第２低温水流入ポートから流入する湯水とを混合して第２給湯端へ給湯可能な第２給湯混合弁と、を備え、第１高温水流入ポートから第２高温水流入ポートへ湯水が流通可能であり、第２給湯端への給湯時に、第１低温水流入ポートを閉じる状態とし、中温水出湯管から中温水流入ポートに流入した中温水を、第１高温水流入ポートから流出させて第２高温水流入ポートに流入させ、第２低温水流入ポートから流入する低温水と混合して第２給湯端へ給湯可能である。
【発明の効果】
【００１０】
本発明によれば、貯湯タンク内の中温水を給湯に最大限に利用してエネルギー消費効率を向上することができるとともに、製品原価を抑制することが可能となる。
【図面の簡単な説明】
【００１１】
【図１】本発明の実施の形態１の貯湯式給湯機を示す構成図である。
【図２】給湯栓（第１給湯端）への給湯時における第１給湯混合弁の動作を説明するための模式的な断面図である。
【図３】中温水と低温水とを第１給湯混合弁にて混合した混合水を給湯栓に給湯する場合の回路構成を示す図である。
【図４】中温水と高温水とを第１給湯混合弁にて混合した混合水を給湯栓に給湯する場合の回路構成を示す図である。
【図５】浴槽（第２給湯端）の湯張り時における第２給湯混合弁の動作を説明するための模式的な断面図である。
【図６】中温水を使用して浴槽の湯張りを行うときの第１給湯混合弁の動作を説明するための模式的な断面図である。
【図７】中温水と高温水とを混合した混合水を浴槽に給湯する場合の回路構成を示す図である。
【図８】中温水と低温水とを混合した混合水を浴槽に給湯する場合の回路構成を示す図である。
【発明を実施するための形態】
【００１２】
以下、図面を参照して本発明の実施の形態について説明する。なお、各図において共通する要素には、同一の符号を付して、重複する説明を省略する。
【００１３】
実施の形態１．
図１は、本発明の実施の形態１の貯湯式給湯機を示す構成図である。図１に示す貯湯式給湯装置は、主に夜間時間帯に湯（高温水）を沸き上げて貯え、この貯えた湯を給湯に利用可能なものであり、貯湯タンクユニット１と、ヒートポンプユニット３と、制御部４０と、給湯リモコン５および風呂リモコン７とを備えている。貯湯タンクユニット１は、湯水を貯留する貯湯タンク２を備えている。ヒートポンプユニット３は、水を加熱して湯（高温水）を生成可能な加熱手段を構成している。給湯栓４（第１給湯端）は、例えば流し台や洗面台等に設けられている。給湯リモコン５は、給湯栓４の近傍（例えば台所の壁等）に設置されている。浴槽６および風呂リモコン７は、浴室に設置されている。給湯リモコン５および風呂リモコン７は、ユーザーインターフェース装置として機能するものであり、制御部４０と通信可能に接続される。制御部４０は、貯湯式給湯機が備える各センサの検出情報と、給湯リモコン５および風呂リモコン７に入力されたユーザーの指示とに基づいて、貯湯式給湯機が備える各アクチュエータの駆動を制御することにより、給湯制御を行う。
【００１４】
貯湯タンクユニット１には、水道等の水源から供給される水（低温水）を所定圧力に減圧する減圧弁４３が設置されている。水源からの水は、減圧弁４３で減圧され、給水管９および給水管３１に流入する。貯湯タンク２の上部には出湯管８とヒートポンプ戻り管１１とが接続され、貯湯タンク２の下部には給水管９とヒートポンプ往き管１０とが接続されている。ヒートポンプ往き管１０の途中には、循環ポンプ１７が設置されている。水源からの水は、給水管９を通って貯湯タンク２の下部に流入する。沸き上げ運転（貯湯運転）時には、ヒートポンプユニット３と循環ポンプ１７とが運転され、貯湯タンク２内の水がヒートポンプ往き管１０を通ってヒートポンプユニット３に送られるとともに、ヒートポンプユニット３よって沸き上げられた高温水がヒートポンプ戻り管１１を通って貯湯タンク２へ送られ、貯湯タンク２内に貯湯される。給湯時には、給水管９からの水圧により貯湯タンク２内の湯水が押し上げられ、貯湯タンク２内の上部の高温水が出湯管８から押し出されて給湯される。
【００１５】
ヒートポンプユニット３は、圧縮機１２と、凝縮器としての冷媒−水熱交換器１３と、膨張弁１４と、強制空冷式の蒸発器１５とで構成されたヒートポンプ回路１６を備えている。また、ヒートポンプユニット３には、ヒートポンプ回路１６を制御するヒートポンプ制御部１８が備えられている。なお、本発明における加熱手段は、このようなヒートポンプ式のものに限定されるものではなく、貯湯タンク２内に設置される電気ヒータなど、いかなる構成であってもよい。
【００１６】
追焚熱交換器１９は、浴槽６の湯水を加熱するもので、その一次側は、高温水往き管２０を介して貯湯タンク２の上部に接続されるとともに中温水戻り管２１を介して貯湯タンク２の下部または中間部分に接続されている。中温水戻り管２１の途中には、追焚循環ポンプ２３が設けられている。この追焚循環ポンプ２３の作動により、貯湯タンク２から取り出した高温水を追焚熱交換器１９に循環させ、熱交換により温度低下した中温水を貯湯タンク２内に戻す。
【００１７】
追焚熱交換器１９の二次側は、風呂往き管２４および風呂戻り管２５を介して浴槽６と接続されている。風呂戻り管２５の途中に設けられた風呂循環ポンプ２７の作動により、浴槽６の湯水が追焚熱交換器１９に循環し、一次側の高温水との熱交換により加熱された湯水が浴槽６内に戻ることにより、浴槽６の保温あるいは追焚きが行われる。
【００１８】
追焚熱交換器１９で二次側と熱交換して温度低下した中温水は、貯湯タンク２内に戻り、下層側の低温水と上層側の高温水との間に中温水層を形成する。貯湯タンク２には、中温水戻り管２１の接続位置より高く出湯管８の接続位置より低い中間位置に、中温水出湯管２９が接続されている。この中温水出湯管２９から貯湯タンク２内の中温水を取り出すことができる。
【００１９】
第１給湯混合弁３０には、出湯管８から分岐した出湯分岐管８Ａと、中温水出湯管２９と、給水管３１から分岐した給水分岐管３１Ａと、混合給湯管４６とが接続されている。第１給湯混合弁３０は、中温水出湯管２９から供給される中温水と、出湯管８から出湯分岐管８Ａを介して供給される高温水または給水管３１から給水分岐管３１Ａを介して供給される低温水とを混合した混合水を、混合給湯管４６を介して給湯栓４に給湯可能な混合弁である。混合給湯管４６には、第１給湯混合弁３０から流出する混合水の温度を検出する給湯温度センサ３２が設けられている。給湯栓４への給湯時には、給湯温度センサ３２で検出される温度が、ユーザーが給湯リモコン５にて設定した給湯設定温度（以下、単に「給湯設定温度」と称する）になるように、第１給湯混合弁３０が制御される。混合給湯管４６には、給湯量を検出する給湯流量センサ４４が設けられている。
【００２０】
第２給湯混合弁３３には、出湯管８から分岐した出湯分岐管８Ｂと、給水管３１から分岐した給水分岐管３１Ｂと、湯張り管３６とが接続されている。第２給湯混合弁３３は、出湯管８から出湯分岐管８Ｂを介して供給される高温水と、給水管３１から給水分岐管３１Ｂを介して供給される低温水とを混合した混合水を、湯張り管３６、風呂往き管２４および風呂戻り管２５を介して、浴槽６（第２給湯端）に給湯可能な混合弁である。湯張り管３６には、第２給湯混合弁３３から流出する混合水の温度を検出する風呂温度センサ３５と、浴槽６への湯張りの開始／停止を行う湯張り弁３７と、浴槽６への湯張り量を検出する風呂流量センサ３８とが設けられている。浴槽６への給湯時（湯張り時）には、風呂温度センサ３５で検出される温度が、ユーザーが風呂リモコン７にて設定した風呂設定温度（以下、単に「風呂設定温度」と称する）になるように、第２給湯混合弁３３が制御される。
【００２１】
出湯分岐管８Ａ，８Ｂの分岐部より上流側の出湯管８には、高温水の逆流を防止するための高温水逆止弁５７が設置されるとともに、貯湯タンク２内の過圧を逃す過圧逃し弁４１が接続されている。また、中温水出湯管２９には、中温水の逆流を防止するための中温水逆止弁５８が設置されている。給水分岐管３１Ａ，３１Ｂの分岐部より上流側の給水管３１には、低温水の逆流を防止する低温水逆止弁５９が設置されている。
【００２２】
貯湯タンク２には、複数の貯湯温度センサ３９がそれぞれ高さの異なる位置に設置されている。これらの貯湯温度センサ３９が検出する温度情報によって、貯湯タンク２内の蓄熱量や貯湯タンク２内の上下方向の温度分布を検出することができる。また、中温水出湯管２９の途中には、貯湯タンク２内から中温水出湯管２９によって取り出される中温水の温度を検出する中温水温度センサ６０が設置されている。なお、貯湯タンク２の中温水出湯管２９の近傍に貯湯温度センサ３９のうちの一つを設け、その貯湯温度センサ３９を中温水温度センサ６０として代用してもよい。
【００２３】
図２は、給湯栓４への給湯時における第１給湯混合弁３０の動作を説明するための模式的な断面図である。図３は、中温水と低温水とを第１給湯混合弁３０にて混合した混合水を給湯栓４に給湯する場合の回路構成を示す図である。図４は、中温水と高温水とを第１給湯混合弁３０にて混合した混合水を給湯栓４に給湯する場合の回路構成を示す図である。
【００２４】
図２に示すように、第１給湯混合弁３０は、ボディー部９０と、ボディー部９０内で回転可能に設置された弁体９２と、弁体９２を駆動する弁駆動手段（図示せず）とを備えている。ボディー部９０には、出湯分岐管８Ａに連通する第１高温水流入ポート９０ａと、中温水出湯管２９に連通する中温水流入ポート９０ｂと、給水分岐管３１Ａに連通する第１低温水流入ポート９０ｃと、混合給湯管４６に連通する第１混合水流出ポート９０ｄとが形成されている。第１混合水流出ポート９０ｄは、図２の紙面に対し垂直な方向に向かう流路として形成されている。
【００２５】
弁体９２は、第１高温水流入ポート９０ａと第１低温水流入ポート９０ｃとの何れか一方を閉じるとともに、他の２つの流入ポートの開口比を可変することができる。図２（イ）に示す状態では、第１高温水流入ポート９０ａが弁体９２により閉じられており、中温水流入ポート９０ｂと第１低温水流入ポート９０ｃとが第１混合水流出ポート９０ｄに連通している。給湯栓４へ給湯する際に、中温水温度センサ６０により検出される中温水温度（以下、「中温水温度」と称する）が給湯設定温度より高い場合には、第１給湯混合弁３０はこの図２（イ）に示す状態に制御される。これにより、図３に示すように、中温水出湯管２９からの中温水と、給水分岐管３１Ａからの低温水とを第１給湯混合弁３０にて混合した混合水が、混合給湯管４６を経て給湯栓４に給湯される。この際、第１給湯混合弁３０は、弁体９２を回転して中温水流入ポート９０ｂと第１低温水流入ポート９０ｃとの開口比を変化させることにより、中温水と低温水との混合比を調節して、混合水の温度を調整する。
【００２６】
本実施形態の第１給湯混合弁３０は、図２（ロ）に示すように、弁体９２により第１高温水流入ポート９０ａと第１低温水流入ポート９０ｃとの両方を閉じ、中温水流入ポート９０ｂのみを第１混合水流出ポート９０ｄに連通させる状態とすることができる。給湯栓４へ給湯する際に、給湯設定温度と、中温水温度とが同等の場合には、第１給湯混合弁３０はこの図２（ロ）に示す状態に制御される。この場合には、中温水出湯管２９からの中温水が、そのまま、混合給湯管４６を経て、給湯栓４に給湯される。
【００２７】
図２（ハ）に示す状態では、第１低温水流入ポート９０ｃが弁体９２により閉じられており、中温水流入ポート９０ｂと第１高温水流入ポート９０ａとが第１混合水流出ポート９０ｄに連通している。給湯栓４へ給湯する際に、中温水温度が給湯設定温度より低い場合には、第１給湯混合弁３０はこの図２（ハ）に示す状態に制御される。これにより、図４に示すように、中温水出湯管２９からの中温水と、出湯分岐管８Ａからの高温水とを第１給湯混合弁３０にて混合した混合水が、混合給湯管４６を経て給湯栓４に給湯される。この際、第１給湯混合弁３０は、弁体９２を回転して中温水流入ポート９０ｂと第１高温水流入ポート９０ａとの開口比を変化させることにより、中温水と高温水との混合比を調節して、混合水の温度を調整する。
【００２８】
本実施形態の貯湯式給湯機では、中温水温度に応じて、中温水を高温水または低温水と混合して給湯栓４へ給湯することができるので、貯湯タンク２内の中温水の利用を促進することが可能となる。このため、貯湯タンク２内に中温水が残存することが抑制され、沸き上げ運転時に中温水がヒートポンプユニット３に流入することが防止されるため、エネルギー消費効率を向上させることが可能となる。
【００２９】
図５は、浴槽６の湯張り時における第２給湯混合弁３３の動作を説明するための模式的な断面図である。図５に示すように、第２給湯混合弁３３は、ボディー部９３と、ボディー部９３内で回転可能に設置された弁体９５と、弁体９５を駆動する弁駆動手段（図示せず）とを備えている。ボディー部９３には、出湯分岐管８Ｂに連通する第２高温水流入ポート９３ａと、給水分岐管３１Ｂに連通する第２低温水流入ポート９３ｂと、湯張り管３６に連通する第２混合水流出ポート９３ｃとが形成されている。第２混合水流出ポート９３ｃは、図５の紙面に対し垂直な方向に向かう流路として形成されている。弁体９５を回転させることにより、第２高温水流入ポート９３ａと第２低温水流入ポート９３ｂとの開口比を可変することができる。
【００３０】
浴槽６の湯張り時には、出湯分岐管８Ｂからの高温水と、給水分岐管３１Ｂからの低温水とを第２給湯混合弁３３にて混合し、その混合水を湯張り管３６、風呂往き管２４および風呂戻り管２５を経て、浴槽６に給湯することができる。この際、風呂温度センサ３５で検出される温度が風呂設定温度に一致するように、第２高温水流入ポート９３ａと第２低温水流入ポート９３ｂとの開口比を調節して、混合比が調整される。また、湯張り弁３７の開閉動作により、湯張りの開始および停止を行い、風呂リモコン７にて予め設定された湯量の湯張りを行う。
【００３１】
また、本実施形態の貯湯式給湯機では、貯湯タンク２内の中温水を浴槽６の湯張りに使用することができる。図６は、中温水を使用して浴槽６の湯張りを行うときの第１給湯混合弁３０の動作を説明するための模式的な断面図である。図７は、中温水と高温水とを混合した混合水を浴槽６に給湯する場合の回路構成を示す図である。図８は、中温水と低温水とを混合した混合水を浴槽６に給湯する場合の回路構成を示す図である。
【００３２】
中温水温度が風呂設定温度より低い場合には、図６（イ）に示すように、第１給湯混合弁３０は、第１高温水流入ポート９０ａを閉じ、中温水流入ポート９０ｂと第１低温水流入ポート９０ｃとを連通する状態とされる。この状態で湯張り動作を実施すると、第１給湯混合弁３０の中温水流入ポート９０ｂよりも第１低温水流入ポート９０ｃの方が第２給湯混合弁３３の第２低温水流入ポート９３ｂに近く、流体の流れとしては下流側になることから、中温水流入ポート９０ｂの圧力より第１低温水流入ポート９０ｃの圧力の方が低いため、図６（イ）および図７に示すように、貯湯タンク２内の中温水は、中温水出湯管２９から中温水逆止弁５８を経由し、第１給湯混合弁３０の中温水流入ポート９０ｂから流入して第１低温水流入ポート９０ｃから流出し、給水分岐管３１Ａおよび３１Ｂを経由して、第２給湯混合弁３３の第２低温水流入ポート９３ｂに流入する。このため、第２給湯混合弁３３では、第２高温水流入ポート９３ａから流入する高温水と、第２低温水流入ポート９３ｂから流入する中温水とを混合した混合水の温度が風呂設定温度となるように、第２高温水流入ポート９３ａと第２低温水流入ポート９３ｂとの開口比を調節し、その混合水を浴槽６へ給湯することができる。
【００３３】
また、中温水温度が風呂設定温度より高い場合は、図６（ロ）に示すように、第１給湯混合弁３０は、第１低温水流入ポート９０ｃを閉じ、中温水流入ポート９０ｂと第１高温水流入ポート９０ａとを連通する状態とされる。この状態で湯張り動作を実施すると、第１給湯混合弁３０の中温水流入ポート９０ｂよりも流体の流れとしては下流側となる第２高温水流入ポート９３ａの方が圧力が低いため、図６（ロ）および図８に示すように、貯湯タンク２内の中温水は、中温水出湯管２９から中温水逆止弁５８を経由し、第１給湯混合弁３０の中温水流入ポート９０ｂから流入して第１高温水流入ポート９０ａから流出し、出湯分岐管８Ａおよび８Ｂを経由して、第２給湯混合弁３３の第２高温水流入ポート９３ａに流入する。このため、第２給湯混合弁３３では、第２高温水流入ポート９３ａから流入する中温水と、第２低温水流入ポート９３ｂから流入する低温水とを混合した混合水の温度が風呂設定温度となるように、第２高温水流入ポート９３ａと第２低温水流入ポート９３ｂとの開口比を調節し、その混合水を浴槽６へ給湯することができる。
【００３４】
上述した、本実施形態の貯湯式給湯機では、中温水温度に応じて中温水を高温水または低温水と混合して浴槽６へ給湯することができる。このようなことから、本実施形態の貯湯式給湯機では、貯湯タンク２内の中温水を給湯栓４および浴槽６の双方への給湯に最大限に利用することが可能となる。このため、貯湯タンク２内に中温水が残存することが確実に抑制され、沸き上げ運転時に中温水がヒートポンプユニット３に流入することが防止されるため、エネルギー消費効率を向上させることが可能となる。
【００３５】
また、搭載する混合弁が第１給湯混合弁３０および第２給湯混合弁３３の２個で済み、混合弁の数を増やす必要がない。また、第１給湯混合弁３０は四方弁であるが、第２給湯混合弁３３は三方弁であるため、配管接続部の数を減らすことができ、シール部品や配管締結部品の数を抑制することができる。このようなことから、製品原価を確実に抑制することができる。
【００３６】
また、図１に示すように、第１給湯混合弁３０と第２給湯混合弁３３とは、混合弁モジュール５０として一体化された構成となっていてもよい。これにより、配管接続部の数を更に削減し、製品原価を更に抑制することができる。この場合、出湯分岐管８Ａ，８Ｂの分岐部と、給水分岐管３１Ａ，３１Ｂの分岐部とを含めてモジュール化して混合弁モジュール５０を構成することがより好ましい。
【００３７】
なお、本実施形態では、第１給湯混合弁３０の第１混合水流出ポート９０ｄが給湯栓４（第１給湯端）への流路に接続され、第２給湯混合弁３３の第２混合水流出ポート９３ｃが浴槽６（第２給湯端）への流路に接続される構成を例に説明したが、第１給湯混合弁３０の第１混合水流出ポート９０ｄが浴槽６への流路に接続され、第２給湯混合弁３３の第２混合水流出ポート９３ｃが給湯栓４への流路に接続される構成とすることも可能である。その場合には、浴槽６が第１給湯端となり、給湯栓４が第２給湯端となる。
【符号の説明】
【００３８】
１      貯湯タンクユニット
２      貯湯タンク
３      ヒートポンプユニット
４      給湯栓
５      給湯リモコン
６      浴槽
７      風呂リモコン
８      出湯管
８Ａ，８Ｂ  出湯分岐管
９      給水管
１０    ヒートポンプ往き管
１１    ヒートポンプ戻り管
１２    圧縮機
１３    水熱交換器
１４    膨張弁
１５    蒸発器
１６    ヒートポンプ回路
１７    循環ポンプ
１８    ヒートポンプ制御部
１９    追焚熱交換器
２０    高温水往き管
２１    中温水戻り管
２３    追焚循環ポンプ
２４    風呂往き管
２５    風呂戻り管
２７    風呂循環ポンプ
２９    中温水出湯管
３０    第１給湯混合弁
３１    給水管
３１Ａ，３１Ｂ  給水分岐管
３２    給湯温度センサ
３３    第２給湯混合弁
３５    風呂温度センサ
３６    湯張り管
３７    湯張り弁
３８    風呂流量センサ
３９    貯湯温度センサ
４０    制御部
４１    圧力逃し弁
４３    減圧弁
４４    給湯流量センサ
４６    混合給湯管
５０    混合弁モジュール
５７    高温水逆止弁
５８    中温水逆止弁
５９    低温水逆止弁
６０    中温水温度センサ
９０    ボディー部
９０ａ  第１高温水流入ポート
９０ｂ  中温水流入ポート
９０ｃ  第１低温水流入ポート
９０ｄ  第１混合水流出ポート
９２    弁体
９３    ボディー部
９３ａ  第２高温水流入ポート
９３ｂ  第２低温水流入ポート
９３ｃ  第２混合水流出ポート
９５    弁体
【図１】
0005724898.tif 000002
【図２】
0005724898.tif 000003
【図３】
0005724898.tif 000004
【図４】
0005724898.tif 000005
【図５】
0005724898.tif 000006
【図６】
0005724898.tif 000007
【図７】
0005724898.tif 000008
【図８】
0005724898.tif 000009